(57)【要約】【課題】吸気孔に付着した塵埃を除去する端末装置において、簡素な構成で電源スイッチ及び吸気孔の配置の自由度を高めるとともに、吸気孔の露出時に電源スイッチが露出するのを防ぐ。【解決手段】端末装置（ＰＯＳ端末装置１）は、筐体１０と、この筐体１０に設けられた電源スイッチ２０と、筐体１０に設けられた吸気孔３０と、電源スイッチ２０を覆うとともに吸気孔３０を開状態とする第１の位置Ｐ１と、この第１の位置Ｐ１よりも吸気孔３０側の位置であって電源スイッチ２０を露出させる第２の位置Ｐ２とにスライドするスイッチカバー４０と、このスイッチカバー４０の背面側に設けられ、スイッチカバー４０のスライド時に吸気孔３０に付着した塵埃Ｄを除去する塵埃除去部と、を備える。【選択図】図３
2014143364.tif 000002
【特許請求の範囲】
【請求項１】
筐体と、
前記筐体に設けられた電源スイッチと、
前記筐体に設けられた吸気孔と、
前記電源スイッチを覆うとともに前記吸気孔を開状態とする第１の位置と、該第１の位置よりも前記吸気孔側の位置であって前記電源スイッチを露出させる第２の位置とにスライドするスイッチカバーと、
前記スイッチカバーの背面側に設けられ、前記スイッチカバーのスライド時に前記吸気孔に付着した塵埃を除去する塵埃除去部と、を備える、
ことを特徴とする端末装置。
【請求項２】
前記筐体は、前記スイッチカバーよりも外部側に設けられた第１の壁面と、前記スイッチカバーよりも内部側に設けられた第２の壁面と、を含み、
前記吸気孔は、前記第１の壁面に設けられた第１の吸気孔と、前記第２の壁面に設けられた第２の吸気孔と、を含み、
前記塵埃除去部は、前記第２の吸気孔に付着した塵埃を除去する、
ことを特徴とする請求項１記載の端末装置。
【請求項３】
前記第２の吸気孔は、前記第１の吸気孔よりも開口面積が小さいことを特徴とする請求項２記載の端末装置。
【請求項４】
前記塵埃除去部は、前記スイッチカバーが前記第１の位置から前記第２の位置へスライドするときに前記塵埃を前記筐体の外部に掻き出すことを特徴とする請求項１から請求項３のいずれか１項記載の端末装置。
【請求項５】
前記端末装置は、ＰＯＳ端末装置であることを特徴とする請求項１から請求項４のいずれか１項記載の端末装置。
【発明の詳細な説明】
【技術分野】
【０００１】
本発明は、吸気孔に付着した塵埃を除去する塵埃除去部を備える端末装置に関する。
【背景技術】
【０００２】
従来、ＰＯＳ（Point Of Sales：販売時点情報管理）端末装置において、装置内部の放熱のために吸気孔や排気孔を設けた端末装置が知られている（例えば、特許文献１及び２参照）。
【０００３】
ＰＯＳ端末装置の吸気孔の清掃は、ＣＥ（Customer Engineer：カスタマエンジニア）が定期保守で行うか、或いは、ＰＯＳ端末の操作者自身が定期的に行っている。吸気孔に塵埃が溜まると装置内部温度が上昇し、装置寿命の低下を発生させる要因や、場合によっては障害を発生させる要因になる。
【０００４】
そのため、内部温度上昇の原因となる塵埃は出来るだけ溜めないことが望ましい。しかし、定期保守や操作者の定期清掃では、清掃間隔が長いため、塵埃による温度上昇を避けるのが困難である。また、塵埃の除去は、ハケ等で行うため、操作者に除去精度が依存してしまう。このように、操作者自身が確実に塵埃を除去することは難しく、操作者への適切な清掃の徹底も現実的に難しい状況である。
【０００５】
ＰＯＳ端末装置において、電源スイッチと、その周囲に設けられた吸気口とを覆うフィルタをスライドさせることで、電源スイッチを操作可能にし、且つワイパーでフィルタを清掃する端末装置が知られている（例えば、特許文献１参照）。
【０００６】
また、ＰＯＳ端末装置において、電源スイッチと、この電源スイッチに隣接して設けられた吸気口に配置されたフィルタとを覆うワイパーをスライドさせることで、電源スイッチを操作可能にし、且つワイパーでフィルタを清掃する端末装置が知られている（例えば、特許文献１参照）。
【０００７】
なお、カメラに関する技術ではあるが、操作ボタンを覆う位置と操作ボタンを露出させる位置とにスイッチカバーをスライドさせる技術が知られている（例えば、特許文献３参照）。
【先行技術文献】
【特許文献】
【０００８】
【特許文献１】特開２００７−５９５９３号公報
【特許文献２】特開２００６−１５５３１４号公報
【特許文献３】特開２００７−４７３５８号公報
【発明の概要】
【発明が解決しようとする課題】
【０００９】
ところで、ＰＯＳ端末装置において、吸気口及び電源スイッチを覆うフィルタをスライドさせる場合には、吸気孔の位置が電源スイッチの周囲にあることが必須となり、配置の自由度が高くない。更には、吸気口の開状態において電源スイッチが露出して外観を損ねたり、フィルタに手で触れる必要があったりするという問題がある。
【００１０】
また、ＰＯＳ端末装置において、電源スイッチ及びフィルタを覆うワイパーをスライドさせる場合にも、吸気孔の位置が電源スイッチに隣接することが必須となり、配置の自由度が高くない。更には、フィルタ（吸気口）の開状態において電源スイッチが露出して外観を損ねるという問題がある。
【００１１】
本発明は、このような点に鑑みてなされたものであり、本発明は、吸気孔に付着した塵埃を除去する塵埃除去部を備える端末装置において、簡素な構成で電源スイッチ及び吸気孔の配置の自由度を高めることができるとともに、吸気孔の開状態において電源スイッチが露出するのを防ぐことができるようにすることを目的とする。
【課題を解決するための手段】
【００１２】
開示の端末装置は、筐体と、前記筐体に設けられた電源スイッチと、前記筐体に設けられた吸気孔と、前記電源スイッチを覆うとともに前記吸気孔を開状態とする第１の位置と、該第１の位置よりも前記吸気孔側の位置であって前記電源スイッチを露出させる第２の位置とにスライドするスイッチカバーと、前記スイッチカバーの背面側に設けられ、前記スイッチカバーのスライド時に前記吸気孔に付着した塵埃を除去する塵埃除去部と、を備える。
【発明の効果】
【００１３】
開示の端末装置によれば、簡素な構成で電源スイッチ及び吸気孔の配置の自由度を高めることができるとともに、吸気孔の開状態において電源スイッチが露出するのを防ぐことができる。
【図面の簡単な説明】
【００１４】
【図１】実施の形態に係るＰＯＳ端末装置を示す斜視図である。
【図２】実施の形態に係るＰＯＳ端末装置の部分拡大図（その１）である。
【図３】実施の形態に係るＰＯＳ端末装置の部分拡大図（その２）である。
【図４】図２のＩＶ−ＩＶ断面図である。
【図５】図３のＶ−Ｖ断面図である。
【図６】図２のＶＩ−ＶＩ断面図である。
【図７】実施の形態における塵埃除去部の例を示す図である。
【発明を実施するための形態】
【００１５】
以下、実施の形態に係る端末装置について、図面を参照しながら説明する。
図１は、実施の形態に係るＰＯＳ端末装置１を示す斜視図である。
図２及び図３は、実施の形態に係るＰＯＳ端末装置１の部分拡大図である。
【００１６】
図４は、図２のＩＶ−ＩＶ断面図である。図５は、図３のＶ−Ｖ断面図である。図６は、図２のＶＩ−ＶＩ断面図である。
図７は、実施の形態における塵埃除去部５０の例を示す図である。
【００１７】
図１に示すＰＯＳ端末装置１は、端末装置の一例であり、筐体１０と、電源スイッチ２０（図３参照）と、吸気孔３０と、スイッチカバー４０と、塵埃除去部５０と、を備える。
【００１８】
また、ＰＯＳ端末装置１は、ディスプレイ２と、プリンタ３と、キーボード４と、カードリーダ５と、を備える。
【００１９】
ディスプレイ２は、筐体１０の上面のうち右後方に配置される。また、ディスプレイ２は、ＰＯＳ端末装置１を操作する操作者に情報を表示する表示部として機能する。
【００２０】
プリンタ３は、筐体１０の上面のうち左後方に配置される。また、プリンタ３は、客向けのレシート等を印刷する。
【００２１】
キーボード４は、筐体１０の上面のうち前方に配置される。また、キーボード４は、操作者により各種の情報を入力される入力部として機能する。
カードリーダ５は、磁気カードの磁気情報など、カード情報を読み取る。
【００２２】
図４〜図６に示すように、筐体１０は、スイッチカバー４０よりも外部側に設けられた第１の壁面１１と、スイッチカバー４０よりも内部側に設けられた第２の壁面１２と、を含む。これら第１の壁面１１と第２の壁面１２とは、吸気孔３０が設けられている領域において互いに対向する。
【００２３】
図１〜図５に示すように、筐体１０の右側面には、カバー用貫通孔１３が設けられている。このカバー用貫通孔１３は、スイッチカバー４０の一部や塵埃除去部５０を筐体１０の外部に露出させるためのものである。
【００２４】
図６に示すように、第１の壁面１１と第２の壁面１２との間には、スイッチカバー４０がスライドするためのガイド溝である上スライド溝１４及び下スライド溝１５が設けられている。
【００２５】
図３に示すように、電源スイッチ２０は、筐体１０に設けられている。なお、本実施の形態では、電源スイッチ２０は、筐体１０の前面（第１の壁面１１）よりも奥まった位置（第２の壁面１２と平行な壁面）に設けられている。
【００２６】
図１〜図６に示すように、吸気孔３０は、筐体１０に設けられている。図４〜図６に示すように、吸気孔３０は、第１の壁面１１に設けられた複数の第１の吸気孔３１と、第２の壁面１２に設けられた複数の第２の吸気孔３２と、を含む。
【００２７】
第２の吸気孔３２は、第１の吸気孔３１よりも開口面積が小さいことが望ましい。本実施の形態では、第１の吸気孔３１は、第２の吸気孔３２よりも、図１の左右方向及び高さ方向に大きく開口するが、特に図１の左右方向に大きく開口する横長の長孔形状を呈する。
【００２８】
スイッチカバー４０は、電源スイッチ２０を覆うとともに吸気孔３０を開状態とする第１の位置Ｐ１（図２及び図４参照）と、この第１の位置Ｐ１よりも吸気孔３０側の位置であって電源スイッチ２０を露出させる第２の位置Ｐ２（図３及び図５参照）とにスライドする。スイッチカバー４０は、例えば平板状を呈し、上記のように、上スライド溝１４及び下スライド溝１５によってガイドされてスライドする。
【００２９】
なお、スイッチカバー４０は、弾性部材により第２の位置Ｐ２側から第１の位置Ｐ１側に付勢されていることが望ましい。これにより、スイッチカバー４０は、電源スイッチ２０をＯＮ又はＯＦＦにする際などに操作者により第１の位置Ｐ１から第２の位置Ｐ２に向けて一時的にスライドされるとき以外は、第１の位置Ｐ１、すなわち、電源スイッチ２０を覆うとともに吸気孔３０を開状態とする位置にある。
【００３０】
図４及び図５に示すように、塵埃除去部５０は、スイッチカバー４０の背面（装置の内面）側の面に設けられ、ワイパーとして機能する。塵埃除去部５０は、スイッチカバー４０が第１の位置Ｐ１から第２の位置Ｐ２にスライドする方向の前端である、図４及び図５におけるスイッチカバー４０の右端に設けられている。塵埃除去部５０は、本実施の形態ではスイッチカバー４０の背面（装置の内面）側の面に設けられているが、例えば右側面に設けられて背面（装置の内面）側の面に突出するようにしてもよい。
【００３１】
塵埃除去部５０は、詳しくは後述するが例えば掻き出し或いは拭き取りによって、スイッチカバー４０の第１の位置Ｐ１と第２の位置Ｐ２との間のスライド時に第２の吸気孔３２に付着した塵埃Ｄを除去する。
【００３２】
本実施の形態では、スイッチカバー４０の一部及び塵埃除去部５０は、スイッチカバー４０が第２の位置Ｐ２にあるときに、カバー用貫通孔１３を筐体１０の外側に貫通して筐体１０の外部に露出する。そして、塵埃除去部５０は、スイッチカバー４０が第１の位置Ｐ１から第２の位置Ｐ２へスライドするときに塵埃Ｄを筐体１０の外部に掻き出す。塵埃除去部５０は、筐体１０の外部に露出していなくても塵埃Ｄを掻き出すことができるが、スイッチカバー４０と同様に筐体１０の外部に露出していることが望ましい。なお、塵埃除去部５０は、塵埃Ｄを掻き出すものに限られず、塵埃Ｄを拭き取るものなどであってもよい。
【００３３】
図７（ａ）に示す塵埃除去部５０−１は、スイッチカバー４０の背面に設けられたスポンジ、フェルト、又はゴムなどの拭き取り部材（掻き出し部材）であり、塵埃Ｄを拭き取ったり掻き出したりする。
【００３４】
図７（ｂ）に示す塵埃除去部５０−２は、スイッチカバー４０の背面に設けられたブラシなどの掻き出し部材であり、塵埃Ｄを掻き出す。
【００３５】
図７（ｃ）に示す塵埃除去部５０−３は、ブラシなどの掻き出し部材であり、スイッチカバー４０の背面に設けられた回転支持アームにより回転可能に支持されている。これにより、塵埃除去部５０−３は、回転しながら塵埃Ｄを掻き出す。
【００３６】
図７（ｄ）に示す塵埃除去部５０−４は、スポンジ、フェルト、又はゴムなどの拭き取り部材（掻き出し部材）であり、スイッチカバー４０の背面に設けられた回転支持アームにより回転可能に支持されている。これにより、塵埃除去部５０−４は、回転しながら塵埃Ｄを掻き出す。
【００３７】
図７（ｅ）に示すように、複数種又は複数の塵埃除去部５０−１，５０−３が、スイッチカバー４０の背面に直列に（スイッチカバー４０のスライド方向に並んで）設けられていてもよい。
【００３８】
以上説明した本実施の形態では、スイッチカバー４０は、電源スイッチ２０を覆うとともに吸気孔３０を開状態とする第１の位置Ｐ１と、この第１の位置Ｐ１よりも吸気孔３０側の位置であって電源スイッチ２０を露出させる第２の位置Ｐ２とにスライドする。塵埃除去部５０は、スイッチカバー４０の背面側に設けられ、スイッチカバー４０のスライド時に第２の吸気孔３２に付着した塵埃Ｄを除去する。
【００３９】
そのため、電源スイッチ２０をＯＮ又はＯＦＦにするときに、スイッチカバー４０をスライドさせるという簡素な構成・簡単な手法で操作者によらず定期的に確実に塵埃Ｄを除去することができる。また、スイッチカバー４０のスライド量に応じて吸気孔３０を電源スイッチ２０から離隔した位置に配置することができる。また、スイッチカバー４０は、電源スイッチ２０を覆うとともに吸気孔３０を開状態とする第１の位置Ｐ１おいて、電源スイッチ２０の露出を防ぐ。
【００４０】
よって、本実施の形態によれば、第２の吸気孔３２（吸気孔３０）に付着した塵埃Ｄを除去するＰＯＳ端末装置１（端末装置）において、簡素な構成で電源スイッチ２０及び吸気孔３０の配置の自由度を高めることができるとともに、吸気孔３０の開状態において電源スイッチ２０が露出するのを防ぐことができる。
【００４１】
また、本実施の形態では、筐体１０は、スイッチカバー４０よりも外部側に設けられた第１の壁面１１と、スイッチカバー４０よりも内部側に設けられた第２の壁面１２と、を含む。吸気孔３０は、第１の壁面１１に設けられた第１の吸気孔３１と、第２の壁面１２に設けられた第２の吸気孔３２と、を含む。塵埃除去部５０は、第２の吸気孔３２に付着した塵埃を除去する。
【００４２】
そのため、スイッチカバー４０が第１の壁面１１と第２の壁面１２との間をスライドすることで、塵埃除去部５０が設けられたスイッチカバー４０が露出してＰＯＳ端末装置１の外観を損ねるのを抑えることができる。
【００４３】
また、本実施の形態では、第２の吸気孔３２は、第１の吸気孔３１よりも開口面積が小さい。
【００４４】
そのため、塵埃Ｄが第２の吸気孔３２に吸着されやすくなり、第１の壁面１１と第２の壁面１２との間をスライドするスイッチカバー４０により塵埃Ｄを除去しやすくすることができる。
【００４５】
また、本実施の形態では、塵埃除去部５０は、スイッチカバー４０が第１の位置Ｐ１から第２の位置Ｐ２へスライドするときに、例えばカバー用貫通孔１３から、塵埃Ｄを筐体１０の外部に掻き出す。
そのため、筐体１０の内部から塵埃Ｄを確実に除去することができる。
【００４６】
なお、以上説明した本実施の形態では、吸気孔３０が第１の吸気孔３１と第２の吸気孔３２とで二重に設けられているが、吸気孔３０はスイッチカバー４０の背面側のみに設けられていてもよい。その場合には、第１の壁面１１と第２の壁面１２との２重構造を省略したり、第１の壁面１１に大きな開口部を形成したりすればよい。
【００４７】
また、本実施の形態では、塵埃Ｄを筐体１０の外部に掻き出すためにカバー用貫通孔１３が設けられているが、特に、塵埃Ｄを拭き取る場合や、カバー用貫通孔１３を他の隙間から掻き出すことができる場合には、カバー用貫通孔１３は省略可能である。
【００４８】
また、本実施の形態では、吸気孔３０のみについて説明したが、ＰＯＳ端末装置１には、筐体１０の排気孔や、この排気孔から強制的に内部気体を排出するファンを設けるとよい。
【００４９】
また、本実施の形態では、端末装置についてＰＯＳ端末装置１を例に説明したが、本実施の形態を、ＡＴＭ（現金自動預け払い機：Auto Teller Machine）などの他の端末装置に適用することも可能である。
【符号の説明】
【００５０】
１      端末装置
２      ディスプレイ
３      プリンタ
４      キーボード
５      カードリーダ
１０      筐体
１１      第１の壁面
１２      第２の壁面
１３      カバー用貫通孔
１４      上スライド溝
１５      下スライド溝
２０      電源スイッチ
３０      吸気孔
３１      第１の吸気孔
３２      第２の吸気孔
４０      スイッチカバー
５０      塵埃除去部
Ｄ      塵埃
Ｐ１      第１の位置
Ｐ２      第２の位置
【図１】
2014143364.tif 000003
【図２】
2014143364.tif 000004
【図３】
2014143364.tif 000005
【図４】
2014143364.tif 000006
【図５】
2014143364.tif 000007
【図６】
2014143364.tif 000008
【図７】
2014143364.tif 000009